(57)【要約】      （修正有）【課題】イヤリングを付ける場合、力加減が調節出来、あまり耳朶を押さえず、痛み難く、長時間の使用が可能となり、かつリバーシブル可能なイヤリングの留め具を提供する。【解決手段】互いに対向する一対の雌軸受部１ａ、１ｂに連設する舌片部１ｃを設けた凹型本体パーツ部１と、雌軸受部１ａ、１ｂの間に挿入され、かつ、すり割りを設けた雄軸受部７と、雌軸受部と雄軸受部に挿入される軸３と、雄軸受部７に連設する舌片部２ａを設けた凸型本体パーツ部２と、すり割りの間隙を調節するためのネジ５とを備える。凹型本体パーツ部、及び凸型本体パーツ部の舌片部の背面１ｄ、２ｂに装飾体を取り付ける。【選択図】図２
0003158235.tif 000002
【実用新案登録請求の範囲】
【請求項１】
互いに対向する一対の雌軸受部に連設する舌片部を設けた凹型本体パーツと、前記軸受部の間に挿入され、かつ、すり割りを設けた雄軸受部と前記雌受部と前記雄受部に挿入される軸と、この雄軸受部に連設する舌片部を設けた凸型本体パーツ部と、前記すり割りの間隙を調節するためのネジとを備えたこととを、特徴とするイヤリングの留め具。
【請求項２】
前記凹型本体パーツ部、及び前記凸型本体パーツ部の舌片部の背面に装飾体を取り付けたことを特徴とする請求項１に記載のイヤリングの留め具。
【請求項３】
前記背面に取り付ける装飾体は、互いに異なる金属、若しくは異なる模様とし、耳朶への取り付け方向を変えることにより、リバーシブル可能なことを特徴とする請求項１に記載のイヤリングの留め具。
【考案の詳細な説明】
【技術分野】
【０００１】
本考案は、力加減が調節出来、リバーシブルとして使えるイヤリングの留め具に関するものである。
【背景技術】
【０００２】
従来のイヤリングの留め具の弱点は、ネジバネ、バネなどの力加減の調節ができず、耳朶に負担がかかり長時間の使用は痛みのもとになってしまう為、使用者による苦情が多い。なおかつ裏表の装飾のあるイヤリングに適している留め具が無かった。
【考案の概要】
【考案が解決しようとする課題】
【０００３】
従来のイヤリングの留め具は、ネジバネ、バネなどの力加減が調節できず、耳朶から落ちないようにかなりのバネ力で押さえ付けなければならず、ボリュームのあるイヤリングに関しては得に負担が大きかった。なおかつ、裏表の装飾のあるイヤリングに適している留め具が無かった。本考案は、前述の点を解決しょうとするものである。
【課題を解決するための手段】
【０００４】
請求項１に記載の考案は、互いに対向する一対の雌軸受部に連設する舌片部を設けた凹型本体パーツと、前記軸受部の間に挿入され、かつ、すり割りを設けた雄軸受部と、前記雌受け部に挿入される軸と、この雄軸受部に連設する舌片部を設けた凸型本体パーツ部と、前記すり割りの間隙を調節するためのネジとを備えたこととを、特徴とするものである。
【０００５】
請求項２に記載の考案は前記凹型本体パーツ部及び、前記凸型本体パーツの舌片部の背面に装飾体を取り付けたことを特徴とするものである。
【０００６】
請求項３に記載の考案は、前記背面に取り付ける装飾体が、互いに異なる金属若しくは異なる模様とし、耳朶への取り付け方向を変えることにより、リバーシブル可能なことを特徴とするものである。
【考案の効果】
【０００７】
本考案は、上記のように構成したので、以下のような効果を奏する。
・  留め具の摩擦現象により、イヤリング本体の開閉調節ができる。
・  自動的に開かなく、落ちにくくなる。
・  裏表装飾のあるイヤリングに適しているため、ボリュームのあるイヤリングになったとしても、耳朶に負担がかからない。
・  一定の力以上の力で押さえなくても良いため、耳朶を圧迫せず、痛みにくく、かつ重みがあったとしても、落ちにくい。
・  本考案の留め具は、裏表の形が同じ様な構成になっているため、両側に装飾体を取り付けることができ、一つのイヤリングで二倍の装飾を楽しめる。
【図面の簡単な説明】
【０００８】
【図１】（A）本考案のイヤリングの留め具を示す側面図である。                    （B）本イヤリングの正面図である。
【図２】本考案のイヤリングの分解斜視図である。
【図３】図２のX−Xの断面図である。
【図４】装飾体をとり付けた状態の完成図である。
【実施例】
【０００９】
以下、添付図面に従って一実施例を説明する。まず図１の（A）側面図、（B） 正面図は、留め具の組み立てた状態を示すものである。これらの図において凹型本体パーツ１の、雌軸受部１a  ，1b の間に、凸型本体パーツ２の雄軸受部７を挿入し、これら合体した本体パーツ１  ，２に生じた軸の通し穴にさらに軸３を入れ込み、その後、雌軸受部1a  ，1bと軸３を溶接する。
【００１０】
前記のように組み立てると、凸型本体パーツ２は軸３と溶接されておらず、すなわち一体になっていない為、凹型本体パーツ１と凸型本体パーツ２は軸３を中心にして回動することが出来る。    
【００１１】
図３のように、凸型本体パーツ２の雄軸受部７には、わずかな間隙８が残されている。この間隙の働きはとても重要なポイントであり、完全に閉じていないため、弾力性がある。
【００１２】
続いて、雄軸受部７のネジ受部４の穴にネジ５を差し入れる。図１に表示されているように、凸型本体パーツ２にあらかじめネジ穴部６があるためにネジ５は締めることが出来る。
【００１３】
図３のように、ネジ５は締めることにより、雄軸受部７は収縮し、軸３は雄軸受部７に締め付けられることによって、間隙８は狭くなり、摩擦力が変化する。このような摩擦力を調節することにより、滑らかな開閉調節が出来るようになる。上記のように摩擦力の調節はネジ５を回すことにより、簡単に行うことができる。
【００１４】
ネジ５の緩み止めについては、ネジ穴６に例えば、パッキング液体を流し入れ、乾燥後、ネジ５を入れ締めることで、緩み止めの役割を果たすことが出来る。
【符号の説明】
【００１５】
１  凹型本体パーツ
１a・1b 雌軸受部
１c舌片部
１d背面
２  凸型本体パーツ
２a舌片部
２b背面
３  軸
４  ネジ受部
５  ネジ
６  ネジ穴部
７  雄軸受部
８  間隙
９  装飾体
【図１】
0003158235.tif 000003
【図２】
0003158235.tif 000004
【図３】
0003158235.tif 000005
【図４】
0003158235.tif 000006
【手続補正書】
【提出日】平成22年1月20日(2010.1.20)
【手続補正１】
【補正対象書類名】実用新案登録請求の範囲
【補正対象項目名】全文
【補正方法】変更
【補正の内容】
【実用新案登録請求の範囲】
【請求項１】
互いに対向する一対の雌軸受部に連設する舌片部を設けた凹型本体パーツ部と、前記雌軸受部の間に挿入され、かつ、すり割りを設けた雄軸受部と前記雌軸受部と前記雄軸受部に挿入される軸と、この雄軸受部に連設する舌片部を設けた凸型本体パーツ部と、前記すり割りの間隙を調節するためのネジとを備えたこととを、特徴とするイヤリングの留め具。
【請求項２】
前記凹型本体パーツ部、及び前記凸型本体パーツ部の舌片部の背面に装飾体を取り付けたことを特徴とする請求項１に記載のイヤリングの留め具。
【請求項３】
前記背面に取り付ける前記装飾体は、互いに異なる金属、若しくは異なる模様とし、耳朶への取り付け方向を変えることにより、リバーシブル可能なことを特徴とする請求項２に記載のイヤリングの留め具。